(57)【要約】【課題】  スリット排水口を側溝の長さ方向に連続して形成させることにより排水能力を向上させ、かつ透水路面層がスリット排水口によって分断されることがないようにすることでその透水路面層の舗装工事を容易に行なうことができる透水性側溝の排水口構造の提供。【解決手段】  蓋部材３の端面に沿って側溝の長さ方向に長く形成した仕切板５を設け、仕切板によって透水路面層４の端面４ａが縁切りされ、仕切板の外面に蓋受け内側面１５ａとの間に側溝の長さ方向に長いスリット状排水口６を形成させるためのスペーサ５１を突設させ、仕切板の下端に排水切欠部５０を形成させると共に、この排水切欠部に連通して蓋部材の端面に排水開口部３０ａを形成させ、排水切欠部と排水開口部を介してスリット状排水口を側溝の内部に連通させる。【選択図】  図１
2009270325.tif 000002
【特許請求の範囲】
【請求項１】
左右の側壁（１２），（１２）の上端部に蓋掛け段差面（１４ａ），（１４ｂ）を介して蓋受け内側面（１５ａ），（１５b）が形成されている側溝本体（１）と、上面から裏面に貫通した通水口（３１）が形成されている多数の蓋部材（３）を備え、
前記多数の蓋部材（３）が両端部を前記蓋掛け段差面（１４），（１４b）間に載置させる状態で側溝の長さ方向に列設され、この蓋部材（３）の上に透水路面層（４）が形成されている透水性側溝（Ａ）において、
蓋受け内側面（１５ａ）に対向する蓋部材（３）の端面に沿って側溝の長さ方向に長く形成した仕切板（５）が設けられ、
前記仕切板（５）によって前記透水路面層（４）の端面（４ａ）が縁切りされ、
前記仕切板（５）の外面に前記蓋受け内側面（１５ａ）との間に側溝の長さ方向に長いスリット状排水口（６）を形成させるためのスペーサ（５１）が突設され、
前記仕切板（５）の下端に排水切欠部（５０）が形成されると共に、この排水切欠部（５０）に連通して前記蓋部材（３）の端面に排水開口部（３０ａ）が形成され、
前記排水切欠部（５０）と排水開口部（３０ａ）を介して前記スリット状排水口（６）が側溝の内部に連通していることを特徴とする透水性側溝の排水口構造。
【請求項２】
前記蓋部材（３）が角部を頂部とした複数の山形型材（３０），（３０）を通水口（３１）となる間隙（Ｓ）を保持して側溝の長さ方向に並列状態で連結して形成され、
前記各山形型材（３０）の端面開口部が前記排水開口部（３０ａ）として形成されている請求項１記載の透水性側溝の排水口構造。
【請求項３】
前記仕切板（５）が蓋部材（３）とは別部材として形成され、この仕切板（５）が蓋部材（３）の端面に当接する状態に設置されている請求項１又は２記載の透水性側溝の排水口構造。
【請求項４】
前記仕切板（５）が蓋部材（３）の端面に一体に連結されている請求項１又は２記載の透水性側溝の排水口構造。
【発明の詳細な説明】
【技術分野】
【０００１】
本発明は、雨水の排水機能を有する透水路面層によって上面が覆われている透水性側溝において、この透水性側溝に形成される排水口構造に関する。
【背景技術】
【０００２】
従来、側溝本体の上面を雨水の排水機能を有する透水路面層によって覆うようにした透水性側溝が知られている（特許文献１、特許文献２参照）。
【０００３】
この透水性側溝は、複数の山形型材を通水口となる間隙を保持して連結させた蓋部材を形成させ、この蓋部材を側溝本体に形成した左右の蓋掛け段差面の間に載置させた状態で、この蓋部材の上に透水路面層を形成した構造になっている。
従って、雨水は透水路面層を透水し、さらに蓋部材を形成する山形型材間の通水口を通して側溝本体の内部に流入するもので、これにより雨水を効率よく側溝内に排水させることができる。
【０００４】
このような透水性側溝では、長年使用に伴い透水路面層に泥等によって目詰まりが生じ、特に、泥等の流入が激しいような場所では透水路面層による透水機能が損なわれてしまうという問題があった。
【０００５】
このような目詰まりをそのまま放置しておくと、結果として路面排水になってしまい、市民生活の上で障害になってしまう。
又、目詰まりを解消する手段として、高圧水を透水路面層の表面に吹き付けて、その勢いによって泥等を流出させることが行なわれるが、このような管理を常に行なわなければならないという問題が生じる。
【０００６】
なお、本出願人において、透水路面層の目詰まりに伴う泥水や大雨等で集中した表面水を側溝内に排水させることができる透水性側溝の排水口構造を既に提案している（特許文献３参照）。
この従来技術は、側溝を横断する方向にスリット排水口を形成したものであったため、このスリット排水口が側溝の長さ方向に連続せず、側溝の所々に点在して設けられる状態になる。
このため、排水場所が局部的になって排水能率の向上ができないし、また、透水路面層がスリット排水口によって分断されてしまうため、透水路面層の舗装施工を一連に連続してできずに手間がかかってしまうという問題が残っていた。
【特許文献１】特許公開２００５−２３７７６号公報
【特許文献２】特許公開２００５−１７１５９７号公報
【特許文献３】登録実用新案第３１３３８０７号公報
【発明の開示】
【発明が解決しようとする課題】
【０００７】
本発明は、スリット排水口を側溝の長さ方向に連続して形成させることにより排水能力を向上させ、かつ透水路面層がスリット排水口によって分断されることがないようにすることでその透水路面層の舗装工事を容易に行なうことができる透水性側溝の排水口構造を提供することを課題としている。
【課題を解決するための手段】
【０００８】
上記の課題を解決するために、本発明（請求項１）の透水性側溝の排水口構造は、
左右の側壁（１２），（１２）の上端部に蓋掛け段差面（１４ａ），（１４ｂ）を介して蓋受け内側面（１５ａ），（１５b）が形成されている側溝本体（１）と、上面から裏面に貫通した通水口（３１）が形成されている多数の蓋部材（３）を備え、
前記多数の蓋部材（３）が両端部を前記蓋掛け段差面（１４），（１４b）間に載置させる状態で側溝の長さ方向に列設され、この蓋部材（３）の上に透水路面層（４）が形成されている透水性側溝（Ａ）において、
蓋受け内側面（１５ａ）に対向する蓋部材（３）の端面に沿って側溝の長さ方向に長く形成した仕切板（５）が設けられ、
前記仕切板（５）によって前記透水路面層（４）の端面（４ａ）が縁切りされ、
前記仕切板（５）の外面に前記蓋受け内側面（１５ａ）との間に側溝の長さ方向に長いスリット状排水口（６）を形成させるためのスペーサ（５１）が突設され、
前記仕切板（５）の下端に排水切欠部（５０）が形成されると共に、この排水切欠部（５０）に連通して前記蓋部材（３）の端面に排水開口部（３０ａ）が形成され、
前記排水切欠部（５０）と排水開口部（３０ａ）を介して前記スリット状排水口（６）が側溝の内部に連通している構成とした。
【０００９】
また、本発明の（請求項２）の透水性側溝の排水口構造は、
前記蓋部材（３）が角部を頂部とした複数の山形型材（３０），（３０）を通水口（３１）となる間隙（Ｓ）を保持して側溝の長さ方向に並列状態で連結して形成され、
前記各山形型材（３０）の端面開口部が前記排水開口部（３０ａ）として形成されている請求項１記載の透水性側溝の排水口構造である。
【００１０】
また、本発明の（請求項３）の透水性側溝の排水口構造は、
前記仕切板（５）が蓋部材（３）とは別部材として形成され、この仕切板（５）が蓋部材（３）の端面に当接する状態に設置されている請求項１又は２記載の透水性側溝の排水口構造である。
【００１１】
また、本発明の（請求項４）の透水性側溝の排水口構造は、
前記仕切板（５）が蓋部材（３）の端面に一体に連結されている請求項１又は２記載の透水性側溝の排水口構造である。
【発明の効果】
【００１２】
本発明の排水口構造は、蓋部材（３）の端面に沿って側溝の長さ方向に長く形成した仕切板（５）を設けたもので、この仕切板（５）によって透水路面層（４）の端面を縁切りさせることにより、この仕切板（５）と蓋受け内側面（１５ａ）との間に側溝の長さ方向に長いスリット状排水口（６）を形成させたものである。
【００１３】
従って、透水路面層（４）の表面に溢れた泥水や雨水は、スリット状排水口（６）を経て側溝内に排水されるもので、これにより透水路面層（４）の目詰まりに伴う泥水や大雨等で集中した表面水を側溝内に排水させることができる。
特に、スリット状排水口（６）を側溝の長さ方向に連続して形成させることができるので、排水場所が局部的になることはなく、側溝の長さ方向のどこからでも排水させることが可能になり、その排水能力を向上させることができる。
【００１４】
また、透水路面層（４）がスリット排水口（６）によって分断されることがないため、その透水路面層（４）の舗装工事を側溝の長さ方向に連続して容易に行なうことができるし、排水口構造の施工も仕切板（５）を蓋部材（３）の端面に沿って設けるだけでよく、その施工を容易に行うことができる。
【発明を実施するための最良の形態】
【００１５】
図１は本発明における透水性側溝の排水口構造の実施例を示す切欠斜視図、図２はその排水口構造の実施例を示す切欠平面図、図３はその排水口構造の実施例を示す側溝の長さ方向断面図、図４はその排水口構造の実施例を示す側溝の幅方向断面図である。
【００１６】
図において、１は側溝本体で、コンクリート２次製品が用いられ、上面が開口し、底部１１と左右の側壁１２，１２により内部が樋状の溝水路１３に形成された略Ｕ字状に形成され、前記両側壁１２，１２の上端部に蓋掛け段差面１４ａ，１４ｂを介して蓋受け内側面１５ａ，１５ｂが形成されている。
なお、側溝本体１としては現場打ち施工によって形成したものであってもよい。
【００１７】
そして、前記蓋掛け段差面１４ａ，１４ｂ間に側溝の長さ方向に列設させた状態で多数の蓋部材３が載置されると共に、この蓋部材３の上に透水路面層４が形成されることで透水性側溝Ａが形成されている。
【００１８】
この実施例は、本発明に係る透水性側溝Ａを、前記特許文献１（特開２００５−２３７７６号公報）に示したような従来構造の通水性舗装路Ｂと民地Ｃとの境界部分において通水性舗装路Ｂの路肩部分に設置した例で、下地層９１（不透水層）の上に通水性表層９０が形成された通水性舗装路Ｂの路肩部に透水性側溝Ａが設置され、この透水性側溝Ａの透水路面層４と前記通水性舗装路Ｂの通水性表層９０とが同時施工で一体に連続して形成されている。
【００１９】
なお、上記図１では側溝本体１の一方（画面右側）の側壁１２の上端部を切除することで透水性側溝Ａにおける透水路面層４の一側（画面右側）のみを通水性舗装路Ｂの通水性表層９０に連続させた施工例を示したが、これに限らず、道路を横断して透水性側溝Ａを設置させるような場合、側溝本体１の両方の側壁１２，１２の上端部を切除することで、透水路面層４の左右両側を通水性舗装路Ｂの通水性表層９０に連続させるように施工することもできる。
【００２０】
更に、オーバーレイ施工の場合、側溝本体１の側壁１２，１２の上端部を切除することなく、透水性側溝Ａにおける透水路面層４の一側のみ、或いは左右両側を通水性舗装路Ｂの通水性表層９０に連続させるように施工することもできる。
【００２１】
このように透水性側溝Ａの透水路面層４を通水性舗装路Ｂの通水性表層９０に連続させるように施工することで、通水性舗装路Ｂ上の雨水を通水性表層９０に透水させたのち、この通水性表層９０から引き続き連続して透水路面層４に流入させることができるし、この通水性表層９０の表面から透水路面層４の表面に流動してきた泥水や雨水についても本発明の排水口構造によって排水することができる。
【００２２】
又、側溝本体１の蓋掛け段差面１４ａ，１４ｂ間に蓋部材３の両端を載置させた上からこの蓋部材３の上のみに透水路面層４を形成した透水性側溝Ａについても本発明に含まれるのは勿論である。
【００２３】
この実施例の蓋部材３は、角部を頂部とした複数（例えば９個）の山形型材３０を通水口３１となる間隙Ｓを保持して側溝の長さ方向に並列させた状態で連結板３２により連結させた蓋部材３を用いている。
これにより、雨水は透水路面層４を透水し、さらに山形型材３０，３０間の通水口３１（間隙Ｓ）を通して側溝本体１の溝水路１３に流入する。
【００２４】
なお、蓋部材３としては、必ずしも複数の山形型材３０を連結させたものである必要はなく、上面から裏面に貫通して通水口３１が形成されたものであれば、例えば、コンクリートやプラスチック等によって平板状に形成したものを用いることができる。
【００２５】
また、実施例のように複数の山形型材３０を連結させて蓋部材３を形成させる場合、山形型材３０，３０同士がその連結部分で捻じれや撓みが生じるようにフレキシブルに連結させるのが好ましい。
実施例では、各山形型材３０の長手方向中央部１ヶ所（複数ヶ所でもよい）を小片板３５を介して溶接させる連結構造としているが、小片板材の代わりに細棒材等を用いて山形型材同士を溶接させることもできる。
このように、山形型材３０，３０同士をフレキシブルに連結させることにより、各山形型材３０の両端部が蓋掛け段差面１４ａ，１４ｂの歪みや凹凸等に対して馴染むように載置されるため、蓋部材３をガタ付きなく装着させることができる。
【００２６】
上記のような透水性側溝Ａにおいて、一方の側壁１２に形成した蓋受け内側面１５ａ（民地Ｃ側の内側面）に対向する蓋部材３の一端面（図１及び図２の左側端面）に沿って側溝の長さ方向に長く形成した仕切板５が設けられている。
【００２７】
上記仕切板５は、側溝の長手方向に長い帯板に形成され、その底面に山形状の排水切欠部５０が形成されると共に、この排水切欠部５０が、前記各山形型材３０の端面に形成された端面開口部である排水開口部３０ａにほぼ符合する状態で連通されている。
そして、前記仕切板５によって前記透水路面層４の端面４ａが縁切りされ、かつ前記仕切板５の外面に突設したスペーサ５１によって、前記一方の側壁１２に形成した蓋受け内側面１５ａ（民地Ｃ側の内側面）との間に側溝の長さ方向に長いスリット状排水口６が形成されている。
従って、前記仕切板５の下端に形成された排水切欠部５０と、前記蓋部材３を構成する各山形型材３０の排水開口部３０ａが連通され、前記排水切欠部５０と排水開口部３０ａを介して前記スリット状排水口６が側溝の内部に連通している。
【００２８】
なお、スペーサ５１は、スリット状排水口６を形成させるために設けられるもので、棒状でも良いし、突起状に形成したものでもよい。
また、実施例では、蓋部材３の一端側（民地C側）にスリット状排水口６を形成した例を示したが、蓋部材３の上のみに透水路面層４を形成するような場合、蓋部材３のいずれか一端側又は両端側にスリット状排水口６を形成させることも可能である。
【００２９】
また、前述したように透水性側溝Ａにおける透水路面層４の左右両側を通水性舗装路Ｂの通水性表層９０に連続させるような場合についても、蓋部材３のいずれか一端側又は両端側にスリット状排水口６を形成させることも可能である。この場合、側溝本体の側壁１２，１２の上端部を切除させる施工、或いは切除させないオーバーレイ施工のいずれにも適用できる。
【００３０】
また、前記仕切板５は、蓋部材３とは別部材として形成させ、この仕切板５を蓋部材３の端面に当接する状態に設置させるようにしてもよいし、或いは仕切板５を蓋部材３の端面に一体に連結させれば、この蓋部材３の設置と同時に仕切板５を設置させることができる。
【００３１】
次に、図５は本発明の他の実施例を示すもので、排水口構造を示す側溝の長さ方向断面図である。
この実施例では、仕切板５の下端に半円状の排水切欠部５０を形成させ、この半円状の排水切欠部５０を前記蓋部材３を構成する各山形型材３０の一端面に形成された端面開口部である排水開口部３０ａに一致する状態で連通させ、この排水開口部３０ａと排水切欠部５０を介してスリット状排水口６が側溝の内部に連通されている。
【００３２】
次に、図６は本発明の他の実施例を示すもので、排水口構造を示す側溝の長さ方向断面図である。
この実施例では仕切板５の下端に前記蓋部材３を構成する複数本（実施例では３本）の各山形型材３０をまとめて跨ぐように方形状の排水切欠部５０が形成され、この排水切欠部５０が各山形型材３０の端面に形成された端面開口部である排水開口部３０ａに一致する状態で連通させ、この排水開口部３０ａと前記排水切欠部５０を介してスリット状排水口６が側溝の内部に連通されている。
【００３３】
尚、前記図５の場合や図６の場合において、山形型材３０の端面開口部である排水開口部３０ａが三角形であるのに対し、排水切欠部５０が半円形や方形状であるため、排水切欠部５０と排水開口部３０ａとの間に透水路面層４の露出空間３３が生じてしまうことがある。
その場合、その露出空間３３から透水路面層４の砕石粒がスリット状排水口６にこぼれ落ちるとスリット状排水口６が詰まることがあるため、砕石粒のこぼれ落ちがないように、露出空間３３の大きさを検討しておく必要がある。
【００３４】
次に、図７は他の施工例を示す側溝の幅方向一部断面図である。
通常は、仕切板５の高さは、側溝本体１の上端よりも５ｍｍ程度低くなるように設定するものであるが、現場の状況等によっては仕切板５の高さをそれ以上に高くする必要がある。
このような場合、既存の仕切板５ａ，５bを二枚用意し、透水路面層４の縁切り用として用いる内側の仕切板５ａを、蓋受け内側面２ｂに当接させる外側の仕切板５ｂよりも必要なサイズだけ上方に高くズラしてスペーサ５１により連結させれば、仕切板５ａ、５bの間にスリット状排水口６を形成させながら仕切板５ａの高さを必要な高さに設定することができ、そのような現場での事態に早急に対応することができる。
【図面の簡単な説明】
【００３５】
【図１】本発明における透水性側溝の排水口構造の実施例を示す切欠斜視図
【図２】その排水口構造の実施例を示す切欠平面図
【図３】その排水口構造の実施例を示す側溝の長さ方向断面図
【図４】その排水口構造の実施例を示す側溝の幅方向断面図
【図５】本発明の他の実施例を示すもので、排水口構造を示す側溝の長さ方向断面図
【図６】本発明の他の実施例を示すもので、排水口構造を示す側溝の長さ方向断面図
【図７】他の施工例を示す側溝の幅方向一部断面図
【符号の説明】
【００３６】
１  側溝本体
３  蓋部材
４  透水路面層
４ａ  端面
５  仕切板
５ａ  仕切板
５ｂ  仕切板
６  スリット状排水口
１１  底部
１２  側壁
１３  溝水路
１４ａ  段差面
１４ｂ  段差面
１５ａ  内側面
１５ｂ  内側面
３０  山形型材
３０ａ  排水開口
３０ａ  排水開口部
３１  通水口
３２  連結板
３３  露出空間
３５  小片板
５０  排水切欠部
５１  スペーサ
９０  通水性表層
９１  下地層
Ａ  透水性側溝
Ｂ  通水性舗装路
C  民地
Ｓ  間隙
【図１】
2009270325.tif 000003
【図２】
2009270325.tif 000004
【図３】
2009270325.tif 000005
【図４】
2009270325.tif 000006
【図５】
2009270325.tif 000007
【図６】
2009270325.tif 000008
【図７】
2009270325.tif 000009